(57)【要約】【課題】  衛生面でも問題なく、しかも一人で素早く着ることができる衛生衣を提供する。【解決手段】  衛生衣１の首周り後部のみ、その間を繋げている伸縮部材２と、該部材２より衛生衣１下方の開放した位置に取り付けられており、下方に向けて引っぱることで締結され、開放した状態から、衛生衣１上記開放両縁部を締着可能なスライドファスナ３と、該スライドファスナ３の衛生衣外方側に取り付けられた中空枠体４と、途中が上記中空枠体４の中空部を貫通して、衛生衣１腰部分に係止される紐５とを有している。【選択図】        図１
2007332515.tif 000002
【特許請求の範囲】
【請求項１】
首周り後部のみが伸縮性のある部材で繋がっていて、その下方は開放した状態である衛生衣であって、
該部材より衛生衣下方の開放した位置に取り付けられており、下方に向けて引っぱることで締結され、開放した状態から、衛生衣上記開放両縁部を締着可能なスライドファスナと、
該スライドファスナの衛生衣外方側に取り付けられた中空枠体と、
途中が上記中空枠体の中空部を貫通して、衛生衣腰部分に係止される紐と
を有することを特徴とする衛生衣。
【請求項２】
上記スライドファスナの上端取り付け位置が、首周り後部のみが伸縮性のある部材より下方の、離れた位置にあり、その間は衛生衣後方両開放両縁部が結着していることを特徴とする請求項１記載の衛生衣。
【請求項３】
衛生衣後方両開放両縁部の結着部分は、縫い付けにより結着状態にされていることを特徴とする請求項２記載の衛生衣。
【請求項４】
衛生衣腰部分に紐が係止されるように、該腰部分に面ファスナが、また紐の両側に該面ファスナに係止出来る被面ファスナが取り付けられていることを特徴とする請求項１〜３いずれか１つに記載の衛生衣。
【発明の詳細な説明】
【技術分野】
【０００１】
本発明は、緊急時に一人で素早く着ることができる手術衣などの衛生衣に関する。
【背景技術】
【０００２】
これまで、下記特許文献１に示す衛生衣１は、緊急時に一人で素早く着ることができるものとして、図６に示すように、首周り後部のみが伸縮性のある部材２で繋がっていて、その下方は開放した状態の構成が提案されている。
【０００３】
このような構成であると、例えば緊急手術時などに、該衛生衣１を頬被りし、上記伸縮性のある部分２が伸びることで、頭や顔の部分がこの首輪周りの部分を容易に通り抜けることができる。そのため、一人で簡単に衛生衣１を着ることができるし、衛生衣１を頬被りするだけであるので、非常に衛生的でもある。
【特許文献１】特開２００４−２３８７７３
【発明の開示】
【発明が解決しようとする課題】
【０００４】
しかし、該衛生衣１の後方が開放状態であると、実際にオペなどを行う際に、後方両開放両縁部が、前方の方に垂れ下がってきてしまい、オペの続行は不可能である。そのため、衛生衣１全体が身体をしっかり覆わなければならない。
【０００５】
従って、衛生衣１の後方が開放部分は、スライドファスナや面ファスナを取り付けることで、開放状態から、衛生衣１上記開放両縁部を締着できるようにしている。
【０００６】
そのような構成であると、結局スライドファスナを引っ張ったり、面ファスナを止める人が別に必要であり、当初の目的である、一人で素早く着るということができなくなってしまう。
【０００７】
本発明は、以上のような問題に鑑み創案されたもので、当初の目的の通りに、一人で素早く着ることができる衛生衣を提供せんとするものである。
【課題を解決するための手段】
【０００８】
そのため本発明に係る衛生衣は、
首周り後部のみが伸縮性のある部材２で繋がっていて、その下方は開放した状態である衛生衣１であって、
該部材２より衛生衣１下方の開放した位置に取り付けられており、下方に向けて引っぱることで締結され、開放した状態から、衛生衣１上記開放両縁部を締着可能なスライドファスナ３と、
該スライドファスナ３の衛生衣外方側に取り付けられた中空枠体４と、
途中が上記中空枠体４の中空部を貫通して、衛生衣１腰部分に係止される紐５と
を有することを基本的特徴としている。
【０００９】
上記構成によれば、まず、該衛生衣１を頬被りし、上記伸縮性のある部材２が伸びることで、頭や顔の部分がこの首輪周りの部分を容易に通り抜けることができようになる。その次に、腰部分に係止された紐５を、前方などにピンと張り出す（又は下方に引き下げる）ことにより、背中の方で、中空枠体４の中空部を中心に、紐５がへの字状の状態になり、スライドファスナ３が下方に向けて引っ張られるので、腰部分に係止された紐５を引っ張るだけで、衛生衣１全体が身体をしっかり覆った状態になり、一人で素早く着ることができるようになる。
【００１０】
上記スライドファスナ３の上端取り付け位置が、首周り後部のみが伸縮性のある部材２より下方の、離れた位置にあり、その間は衛生衣１後方両開放両縁部が結着６していると良い（請求項２）。
【００１１】
これは、上記構成で、紐５を引っ張った時に、上記部材が首周り後部に取り付けられているだけであり、その下部から下方に直ぐにスライドファスナ３が設けられた状態であると、紐５を引っ張った時に、該紐５のへの字状に両側から引っ張る力が、この伸縮部材２の部分の所に集中してしまって、撚れることになってしまうからである。撚れてしまわないように、該伸縮部材２より下方の離れた位置に、スライドファスナ３の上端取り付け位置があり、且つその間は衛生衣後方両開放両縁部が結着６していれば、紐５を引っ張った時にも、紐５のへの字の頂点近傍の衛生衣１の生地が撚れることはなく、そのままするすると、スライドファスナ３が下方に引っ張られて、下降してくることになる。
【発明の効果】
【００１２】
本発明の請求項１及び請求項４記載の衛生衣によれば、衛生面でも問題なく、しかも一人で素早く着ることができるようになるという優れた効果を奏し得る。
【発明を実施するための最良の形態】
【００１３】
以下、本発明の実施の形態を図示例と共に説明する。
【実施例】
【００１４】
図１〜図５は、本発明の最良の実施形態構成を示す説明図である。本実施例構成における衛生衣１は、手術衣として使用されるものであり、その構成として、首周り後部のみ、その間を繋げている伸縮部材２（その下方は衛生衣１が開放した状態である）と、該部材２より衛生衣１下方の開放した位置に取り付けられており、下方に向けて引っぱることで締結され、開放した状態から、衛生衣１上記開放両縁部を締着可能なスライドファスナ３と、該スライドファスナ３の衛生衣外方側に取り付けられた中空枠体４と、途中が上記中空枠体４の中空部を貫通して、衛生衣１腰部分に係止される紐５とを有している。尚、図１などに７として示されるものは、衛生衣１腰部分脇に縫いつけられた面ファスナ（所謂ベルクロテープ；登録商標である）であり、上記紐５の面ファスナ７に係止される部分に、それと係着しあう被面ファスナ（図示無し）が夫々取り付けられている。
【００１５】
図１に示す衛生衣１は、裏面側から見た状態であり、下部の裾の方から頭部を突っ込み、該衛生衣１を頬被りする。すると、上記伸縮部材２が伸びることで、頭や顔の部分がこの首輪周りの部分を容易に通り抜けることができようになる。  
【００１６】
その次に、図３に示すように、腰部分に面ファスナ７で係止された紐５を、前方にピンと張り出す（或いは下方に引き下げる）ことにより、背中の方で、図２に示すように、中空枠体４の中空部を中心に、紐５がへの字状の状態になり、さらに図４に示すように、スライドファスナ３が下方に向けて引っ張られ、移動する。従って腰部分に係止された紐５を引っ張っるだけで、図５に示すように、衛生衣１全体が身体をしっかり覆った状態になり、一人で素早く着ることができるようになる。尚、最終的には上記紐５は、片手で抜き取って、衛生衣１を着た後は、使用することはない。もちろん、それを手前で結んで使用することも可能である。
【００１７】
上記スライドファスナ３の上端取り付け位置が、首周り後部のみが伸縮部材２より下方の、離れた位置にあり、その間は、縫い付けにより、衛生衣後方両開放両縁部が結着６されている。
【００１８】
これは、上記構成で、紐５を引っ張った時に、上記伸縮部材２が首周り後部に取り付けられているだけであり、その下部から下方に直ぐにスライドファスナ３が設けられた状態であると、紐５を引っ張った時に、該紐５のへの字状に両側から引っ張る力が、この伸縮部材２の部分の所に集中してしまって、撚れることになってしまうからである。撚れてしまわないように、該伸縮部材２より下方の離れた位置に、スライドファスナ３の上端取り付け位置があり、且つその間は衛生衣後方両開放両縁部が結着６していれば、紐５を引っ張った時にも、紐５のへの字の頂点近傍の衛生衣１の生地が撚れることはなく、そのままするすると、スライドファスナ３が下方に引っ張られて、下降してくることになる。
【００１９】
上記結着部６は、縫い付けに限られず、例えば、継ぎ目のない衛生衣１の生地そのものであっても良い。ただし、上記伸縮部材２が頭部を通す際に、伸縮できるようにしてありさえずれば問題はない。
【００２０】
以上詳述した本実施例構成によれば、腰部分に係止された紐５両端側を持って、ピンと張り出す（或いは引き下げる）だけで、背中の方で、中空枠体４の中空部を中心に紐５がへの字状の状態になり、それから、該紐５がまっすぐな状態になろうとするので、さらに、スライドファスナ３が下方に向けて引っ張られ、移動することになる。従って、衛生衣１全体が身体をしっかり覆った状態になり、一人で素早く着ることができるようになる。
【００２１】
さらに、上記スライドファスナ３の上端取り付け位置が、首周り後部のみが伸縮部材２より下方の、離れた位置にあり、その間にある衛生衣後方両開放両縁部が結着６状態になっているので、紐５を引っ張った時に、該紐５のへの字状に両側から引っ張る力が、この伸縮部材２の部分の所に集中してしまうことがなく、該結着部６で撚れる力吸収されるため、紐５のへの字の頂点近傍の衛生衣１の生地（結着部６）が撚れることはなく、そのままするすると、スライドファスナ３が下方に引っ張られて、下降してくるようになり、衛生面でも問題なく、より簡単に、一人で素早く着ることができるようになる。
【００２２】
尚、本発明の衛生衣は、上述の図示例にのみ限定されるものではなく、本発明の要旨を逸脱しない範囲内において種々変更を加え得ることは勿論である。
【産業上の利用可能性】
【００２３】
本発明の衛生衣は、手術衣の他、例えばクリーンルームで着衣する被服や、その他の高い衛生性が必要とされる場所で使用される被服、微塵付着などが問題となる場所で使用される被服などでも利用可能である。
【図面の簡単な説明】
【００２４】
【図１】本発明の実施例構成における衛生衣１の斜視図である。
【図２】スライドファスナ３が下方に移動する前の状態を示す説明図である。
【図３】本実施例構成の衛生衣１を着た際に、紐５を手前に引っ張ってるところを後ろから見た状態を示す説明図である。
【図４】紐５を手前に引っ張っることで、スライドファスナ３が下方に移動している状態を示す説明図である。
【図５】本実施例構成の衛生衣１の着衣状態を示す説明図である。
【図６】従来の衛生衣１の構成を示す説明図である。
【符号の説明】
【００２５】
１      衛生衣
２      伸縮部材
３      スライドファスナ
４      中空枠体
５      紐
６      結着部
７      面ファスナ
【図１】
2007332515.tif 000003
【図２】
2007332515.tif 000004
【図３】
2007332515.tif 000005
【図４】
2007332515.tif 000006
【図５】
2007332515.tif 000007
【図６】
2007332515.tif 000008